(57)【要約】【課題】流動性や透明性、反射・屈折を特徴とする立体的に楽しむことができる身飾品を提供することを目的とする。【解決手段】透過性のある本体の空洞部に金属や樹脂、ガラス、アクリルの内二つ以上の重量の異なる内容物を入れることで重量差が生じて内容物の沈殿速度に差ができる。そこに粘性のある液体を入れることにより流動的になり、反射・屈折率を向上させる。流動性があるため、揺らしたり傾けるごとに様々な表情を３６０°で立体的に楽しむことを提供できる。【選択図】図１
2016106968.tif 000002
【特許請求の範囲】
【請求項１】
透過性のある球状体又は水滴状体の本体を有し、この本体の内部に空洞部を有し、空洞部に粘性のある液体及び、重量の異なる少なくとも二つの内容物が入れられた装飾品。  
【請求項２】
前記本体には、前記液体及び前記少なくとも二つの内容物を前記空洞部に入れる開口部が形成されるとともに、前記本体の外側における前記開口部の周囲に取付けられる蓋を有する請求項１に記載の装飾品。
【請求項３】
前記本体の外側と前記蓋の外側とが第一の樹脂で封止されるとともに、前記開口部を形成する前記本体の縁と前記蓋の底とが、前記第一の樹脂より硬化速度が早い第二の樹脂で封止された、請求項２に記載の装飾品。
【請求項４】
前記本体の開口部外側周縁は突起部を有し、前記蓋は前記突起部上に取付けられる請求項２又は３に記載の装飾品。
【発明の詳細な説明】
【技術分野】
【０００１】
本発明は内部に空洞を有する透明性のある素材の中に金属や樹脂、粘性のある液体を入れた装飾品に関する。
【背景技術】
【０００２】
従来、試験管の中に流動物質、樹脂を入れたものがペンダントとしてある。ペンダントに試験管を使うことにより３６０°どこからでも立体的に見せ、流動感や浮遊感を見せるためのものである。
【先行技術文献】
【特許文献】
【０００３】
【特許文献１】実用新案登録３１９１４６５号公報
【発明の概要】
【発明が解決しようとする課題】
【０００４】
しかしながら以上に述べた試験管ペンダントは視覚効果が一定ではない。特に上から見た時は金属しか見えず、３６０°の範囲に及ばないという欠点がある。
【課題を解決するための手段】
【０００５】
本発明は透過性のある球状体又は水滴状体の本体を有し、この本体の内部に空洞部を有し、空洞部に粘性のある液体及び、重量の異なる少なくとも二つの内容物が入れられたものであり、前記本体には、前記液体及び前記少なくとも二つの内容物を前記空洞部に入れる開口部が形成されるとともに、前記本体の外側における前記開口部の周囲に取付けられる蓋を有し、前記本体の外側と前記蓋の外側とが第一の樹脂で封止されるとともに、前記開口部を形成する前記本体の縁と前記蓋の底とが、前記第一の樹脂より硬化速度が早い第二の樹脂で封止され、又、前記本体の開口部外側周縁は突起部を有し、前記蓋は前記突起部上に取付けられるものである。
【発明の効果】
【０００６】
本発明により、空洞部に重量の異なる少なくとも二つの内容物とともに粘性の液体を入れることにより、樹脂や水より光の反射・屈折が向上し、重量の差により沈殿速度に違いが生じ、長時間光の反射・屈折による変化を立体的に見ることが可能になる。そして、球状体にすることにより、多角的な方向から内容物が移動する様子を見ることができ立体感が得られ、上記の効果を３６０°楽しむことができる身飾品を提供することが可能になる。
【図面の簡単な説明】
【０００７】
【図１】本実施例にかかる球状の装飾体の概観図である。
【図２】本実施例にかかる装飾体の上部の拡大断面図である。
【図３】別実施例にかかる水滴状体の装飾体の概観図である。
【発明を実施するための形態】
【０００８】
本発明は図１のように透過性のある空洞を有する素材に、粘性のある液体及び、金属、樹脂、ガラス、アクリルの内重量の異なる少なくとも二つの内容物を設けた構成である。図１に示す装飾品１は、開口部１１及び突起部１２が形成された球状の本体４と突起部１２に取付ける吊り下げ穴付蓋２を持つ。
【０００９】
図１に示すように、本体４はガラスで形成される。ガラスは透過性が高く、光の反射が本発明に適している。本体４の厚みは１．５〜３ｍｍである。尚、透過性の高いものであればガラス以外の素材でもよい。例えば、アクリル、樹脂、プラスチック等を用いる。
【００１０】
本体部４の空洞部に硬化時に発熱・発泡の少ない硬化性のある樹脂を少量流し込み空洞部内で硬化させて肉厚部７を形成した後、少なくとも内容物６と、内容物６とは質量の異なる内容物８、具体的にはアクセサリーパーツ、アクリル、金属、樹脂内容物を入れ、粘性のある液体５（７０〜１０００ｍｐａ・ｓ程度）を入れ、吊り下げ穴付蓋２を接着し密閉する。粘性のある液体としては、サラダオイル、オリーブオイル、グリセリン等を用いる。
【００１１】
吊り下げ穴付蓋２に空いている吊り下げ穴にチェーンや紐を通すことでペンダントやイヤリング、ピアスになり、また、チェーンの長さを短くすることでストラップ等も可能である。
【００１２】
図２に示すように吊り下げ穴付蓋２と本体４は、封止部９及び封止部１０で固定されている。
【００１３】
硬化速度の早い樹脂で封止された封止部９、硬化速度の遅い樹脂で封止された封止部１０は、本体４が透過性のある素材であるため、同じく透過性を有し、また、硬化後耐水性を持つものが本発明に適している。尚、硬化速度が早いとは封止部１０の樹脂よりも早いということであり、硬化速度が遅いとは封止部９よりも遅いということである。
【００１４】
封止部９に用いる樹脂は粘性を有し、吊り下げ穴付蓋２と開口部１１及び突起部１２とを迅速に固定する、室温で硬化可能な発熱性の少ない２液性の樹脂である。尚、粘性は２０００ｍｐａ・s以上のものを使用する。樹脂としては、例えば、エポキシ樹脂等が使用に適している。
【００１５】
封止部９に用いる樹脂は、接着後約５分間可動し、約４０分で実用強度に達する硬化速度の早い樹脂を使用することにより、開口部１１内側に滞留し続け硬化することが可能であり、また、大量生産の効率を上げることに繋がる。
【００１６】
封止部１０は吊り下げ穴付蓋２の外側と本体４の外側とを緩やかに連続することで吊り下げ穴付蓋２と本体４との細かな段差を埋めて概観を良くし、又、本体４と吊り下げ穴付蓋２との接合をより強固にする。
【００１７】
封止部１０に用いる樹脂は粘性を有し、封止部９より可動時間を有するため、時間の要する細かな作業が可能となる。室温で硬化可能な発熱性の少ない２液性の樹脂である。粘性は２０００ｍｐａ・ｓ以上。可動時間約２５分、約６０分で実用強度に達する。樹脂としては、例えば、エポキシ樹脂等が使用に適している。
【００１８】
封止部９に用いる樹脂を吊り下げ穴付蓋２の内側周縁に添塗し開口部１１及び突起部１２と接合し硬化させた後、封止部１０に用いる樹脂を吊り下げ穴付蓋２の外側周縁に添塗し、本体４に取付け硬化させる。
【００１９】
開口部１１は円状であり、円の直径は４mm〜５．５mmである。
【００２０】
吊り下げ穴付蓋２の直径は開口部の直径よりも大きく、吊り下げ穴付蓋２は突起部１２の上に設置することが可能である。
【００２１】
突起部１２は開口部１１の上部周縁上に存在することで開口部１１の強度を高める。尚、開口部１１、突起部１２、本体４は、同じ素材である。
【００２２】
突起部１２は開口部１１から１mm〜１．５mm隆起しているため封止部１０を用いて吊り下げ穴付蓋２の外側と本体４の外側とを緩やかに連続することで吊り下げ穴付蓋２と本体４との細かな段差を埋めて概観を良くする。
【００２３】
封止部９、封止部１０と接する吊り下げ穴付蓋２、開口部１１及び突起部１２は、必ず揮発性の液体で水分、油分を拭き取った後、接合させる。具体的には消毒用アルコール、エタノール、イソプロピルアルコール等を用いる。
【００２４】
以上のように透過性のある球状体の本体４を有し、この本体４の内部に空洞部を有し、空洞部に粘性のある液体５及び、重量の異なる少なくとも二つの内容物６、内容物８が入れられた装飾品である。
【００２５】
なお、図３に示す水滴状体として形成してもよい。
【符号の説明】
【００２６】
１          身飾品
２、１０２  吊り下げ穴付蓋
３、１０３  光が入ることによってできる連続した反射・屈折の図
４、１０４  本体
５、１０５  粘性のある液体
６、１０６  内容物
７、１０７  肉厚部
８、１０８  ６，１０６とは質量の異なる内容物
９          封止部
１０        封止部
１１        開口部
１２        突起部
【図１】
2016106968.tif 000003
【図２】
2016106968.tif 000004
【図３】
2016106968.tif 000005